(57)【要約】【課題】複数種類の辞書データベースを横断的に検索する場合に、検索結果を見易く表示し、見出し語の選択を容易に行うことを可能とする。【解決手段】辞書機能を備えた電子装置１は、見出し語と説明情報とを対応付けた辞書データ４１が複数種類記憶された複数辞書記憶手段４と、辞書データ中から入力文字に対応する見出し語を検索する見出し語検索手段７と、複数抽出された同一の見出し語を同一見出し語としてまとめ、同一見出し語に含まれる複数の見出し語をソートするソート手段７と、同一見出し語と、見出し語検索手段７により抽出された見出し語のうち同一の見出し語が抽出されない単独の見出し語とを一覧表示する表示手段３と、同一見出し語が指定された場合に当該同一見出し語に含まれる複数の見出し語を展開表示する見出し語表示手段７と、指定された見出し語に対応付けられた説明情報を表示する説明情報表示手段３と、を備える。【選択図】図２
2008257505.tif 000002
【特許請求の範囲】
【請求項１】
複数の見出し語について見出し語と当該見出し語の説明情報とをそれぞれ対応付けた辞書データが複数種類記憶された複数辞書記憶手段と、
入力文字を入力する入力手段と、
前記複数辞書記憶手段に記憶された複数種類の辞書データ中から前記入力手段により入力された入力文字に対応する見出し語を前方一致検索により検索して抽出する見出し語検索手段と、
前記見出し語検索手段により前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート手段と、
前記同一見出し語と、前記見出し語検索手段により抽出された見出し語のうち同一の見出し語が抽出されない単独の見出し語とを一覧表示する表示手段と、
前記表示手段に表示された任意の同一見出し語が指定された場合に、指定された当該同一見出し語に含まれる複数の前記見出し語を前記ソートルールに従って展開表示する見出し語表示手段と、
指定された前記見出し語に対応付けられた前記説明情報を表示する説明情報表示手段と、を備えることを特徴とする辞書機能を備えた電子装置。
【請求項２】
前記表示手段は、前記同一見出し語と、前記見出し語検索手段により抽出された見出し語のうち同一の見出し語が抽出されない単独の見出し語とを五十音順又はアルファベット順に一覧表示することを特徴とする請求項１に記載の辞書機能を備えた電子装置。
【請求項３】
複数の見出し語について見出し語と当該見出し語の説明情報とをそれぞれ対応付けた辞書データが複数種類記憶された複数辞書記憶手段と、
前記複数辞書記憶手段に記憶された前記見出し語のうち、見出し語の前方に共通部を有する複数の見出し語を当該共通部に対応付けて記憶する共通部記憶手段と、
入力文字を入力する入力手段と、
前記複数辞書記憶手段に記憶された複数種類の辞書データ中から前記入力手段により入力された入力文字に対応する見出し語を前方一致検索により検索して抽出する見出し語検索手段と、
前記見出し語検索手段により前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート手段と、
前記同一見出し語および他の同一の見出し語が抽出されない単独の見出し語が前記共通部記憶手段に記憶された前記共通部を有する場合に、共通部ごとに当該共通部をフォルダ名とするフォルダをそれぞれ作成し、当該共通部を有する同一見出し語および単独の見出し語を、前記共通部をフォルダ名とするフォルダに格納するフォルダ格納手段と、
前記フォルダと、前記フォルダに格納されていない前記同一見出し語と、前記フォルダに格納されていない前記単独の見出し語とを一覧表示する表示手段と、
前記表示手段に表示された任意の前記同一見出し語が指定された場合には、指定された当該同一見出し語に含まれる複数の前記見出し語を前記ソートルールに従って展開表示し、前記表示手段に表示された任意のフォルダが指定された場合には、指定された当該フォルダに格納された前記共通部を有する同一見出し語および単独の見出し語を展開表示する見出し語表示手段と、
指定された前記見出し語に対応付けられた前記説明情報を前記表示手段に表示させる説明情報表示手段と、を備えることを特徴とする辞書機能を備えた電子装置。
【請求項４】
前記表示手段は、前記フォルダと、前記フォルダに格納されていない前記同一見出し語と、前記フォルダに格納されていない前記単独の見出し語とを五十音順又はアルファベット順に一覧表示し、
前記見出し語表示手段は、前記表示手段に表示された任意のフォルダが指定された場合には、指定された当該フォルダに格納された前記共通部を有する同一見出し語及び単独の見出し語を五十音順又はアルファベット順に展開表示することを特徴とする請求項３に記載の辞書機能を備えた電子装置。
【請求項５】
前記複数辞書記憶手段に記憶された前記複数種類の辞書データには、それぞれ専門度を表す指標が対応付けられて記憶されており、
前記ソートルールは、前記同一見出し語に含まれる複数の同一の見出し語を、当該見出し語を含む辞書データに対応付けられた前記専門度を表す指標に応じてソートするというルールであることを特徴とする請求項１から請求項４の何れか一項に記載の辞書機能を備えた電子装置。
【請求項６】
前記複数辞書記憶手段に記憶された前記複数種類の辞書データの使用頻度をそれぞれカウントし、カウントされた辞書データごとの使用頻度情報を当該辞書データに対応付けて記憶する使用頻度計数手段を備え、
前記ソートルールは、前記同一見出し語に含まれる複数の同一の見出し語を、当該見出し語を含む辞書データに対応付けられた前記使用頻度の高い順にソートするというルールであることを特徴とする請求項１から請求項４の何れか一項に記載の辞書機能を備えた電子装置。
【請求項７】
複数の見出し語について見出し語と当該見出し語の説明情報とをそれぞれ対応付けた辞書データが複数種類記憶された複数辞書記憶手段を備えるコンピュータに、
入力文字を入力する入力機能と、
前記複数辞書記憶手段に記憶された複数種類の辞書データ中から前記入力機能を介して入力された入力文字に対応する見出し語を前方一致検索により検索して抽出する見出し語検索機能と、
前記見出し語検索機能を介して前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート機能と、
前記同一見出し語と、前記見出し語検索手段により抽出された見出し語のうち同一の見出し語が抽出されない単独の見出し語とを表示手段に一覧表示する表示機能と、
前記表示手段に表示された任意の同一見出し語が指定された場合に、指定された当該同一見出し語に含まれる複数の前記見出し語を前記ソートルールに従って表示手段に展開表示させる見出し語表示機能と、
指定された前記見出し語に対応付けられた前記説明情報を表示手段に表示させる説明情報表示機能と、を実現させることを特徴とする電子辞書プログラム。
【請求項８】
複数の見出し語について見出し語と当該見出し語の説明情報とをそれぞれ対応付けた辞書データが複数種類記憶された複数辞書記憶手段と、前記複数辞書記憶手段に記憶された前記見出し語のうち、見出し語の前方に共通部を有する複数の見出し語を当該共通部に対応付けて記憶する共通部記憶手段とを備えるコンピュータに、
入力文字を入力する入力機能と、
前記複数辞書記憶手段に記憶された複数種類の辞書データ中から前記入力機能を介して入力された入力文字に対応する見出し語を前方一致検索により検索して抽出する見出し語検索機能と、
前記見出し語検索機能を介して前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート機能と、
前記同一見出し語および他の同一の見出し語が抽出されない単独の見出し語が前記共通部記憶手段に記憶された前記共通部を有する場合に、共通部ごとに当該共通部をフォルダ名とするフォルダをそれぞれ作成し、当該共通部を有する同一見出し語および単独の見出し語を、前記共通部をフォルダ名とするフォルダに格納するフォルダ格納機能と、
前記フォルダと、前記フォルダに格納されていない前記同一見出し語と、前記フォルダに格納されていない前記単独の見出し語とを表示手段に一覧表示する表示機能と、
前記表示手段に表示された任意の同一見出し語が指定された場合には、指定された当該同一見出し語に含まれる複数の前記見出し語を前記ソートルールに従って表示手段に展開表示させ、前記表示手段に表示された任意のフォルダが指定された場合には、指定された当該フォルダに格納された前記共通部を有する同一見出し語および単独の見出し語を展開表示させる見出し語表示機能と、
指定された前記見出し語に対応付けられた前記説明情報を表示手段に表示させる説明情報表示機能と、を実現させることを特徴とする電子辞書プログラム。
【発明の詳細な説明】
【技術分野】
【０００１】
本発明は、辞書機能を備えた電子装置および電子辞書プログラムに関する。
【背景技術】
【０００２】
従来から、国語辞典や英和辞典、和英辞典、英英辞典等の数種類の辞書データベースを内蔵した辞書機能を備えた電子装置（以下、電子辞書という。）が知られている。電子辞書の数種類の辞書データベースには、見出し語と、当該見出し語を説明、解説する説明情報とを対応付けた辞書データが辞書データベース毎にそれぞれ複数記憶されている。
【０００３】
従来の電子辞書は、複数種類の辞書データベースを有していても、国語辞典や英和辞典等として単独の機能でしか用いることができなかったが、近年、複数種類の辞書データベースを横断的に検索する、いわゆるマルチ辞書検索機能を備えた電子辞書が開発されている（例えば、特許文献１参照）。このマルチ辞書検索機能により、ユーザによって検索する語（以下、入力文字という。）が入力されると、電子辞書は、内蔵されている複数種類の辞書データベースを検索し、入力文字に適合した見出し語をディスプレイの画面にまとめて表示することが可能となる。
【０００４】
しかし、このような電子辞書では、内蔵される辞書データベースの種類が増えると、検索される見出し語の数も増大するため、例えば図２８に示すように「きかんし」という入力文字を入力すると、複数種類の辞典の中からそれぞれ「気管支」や「機関士」、「機関紙」等の見出し語が抽出され、ディスプレイの画面上にユーザにとって必要のない情報までが複数行にわたって多数一覧表示されてしまう。そのため、表示が冗長になり、ユーザにとって分かりにくく、使い勝手が必ずしも良いものとは言えなかった。
【０００５】
また、例えば「きかんし」という入力文字を入力すると、「きかんし」という音を有する見出し語のマルチ辞書検索を行うだけでなく、前方一致検索を行って「気管支炎」や「機関車」等の見出し語を抽出して「気管支」等とともに一覧表示する電子辞書がある。しかし、このような電子辞書で上記のような表示を行うと、例えばユーザが「気管支カタル」という病名の意味を調べるために「きかんし」と入力すると、前述したように「きかんし」の音を有する見出し語が多数表示されてしまうため、画面を切り替えたり、画面下方に延々とスクロールしたりしないと目的の見出し語が見つからないという不都合を生じてしまう。
【０００６】
そこで、特許文献２では、前方一致検索等で検索された見出し語のうち、複数種類の辞書データベースに別々に蓄積されている同一の見出し語を、図２９に示すように一つの見出し語（以下、同一見出し語という。）にまとめて表示する電子辞書が提案されている。この電子辞書では、例えば「気管支」という見出し語が国語辞典や和英辞典の辞書データベースに蓄積されている場合には、それらをまとめ、ディスプレイの画面上に辞書の種類を「国」「和」等の識別子としてそれらと同一見出し語とを併せて「国  和  気管支」、「国  和  機関士」のように一行ずつ表示することで、表示をコンパクトにして、ユーザの使い易さを向上させている。
【特許文献１】特開２００１−１３４５６７号公報
【特許文献２】特開２００４−３０２６６３号公報
【発明の開示】
【発明が解決しようとする課題】
【０００７】
しかしながら、特許文献２に記載された電子辞書では、内蔵される国語辞典として複数の国語辞典を備えるなど一種類の辞書あたりの辞書データベースの数が増大したり、国語辞典や和英辞典等だけでなく例えば百科事典や科学事典、医学事典等を備えるなど辞書データベースの種類が増大して、電子辞書に内蔵される辞書データベースが増大すると、ディスプレイの画面上には辞書の種類の識別子が多数表示され、それらと同一見出し語とを併せた一行の表示が長大になる。
【０００８】
そのため、表示が見づらくなり、ユーザが目的とする見出し語の説明が記載されている辞書を見出すのに手間がかかり、必ずしも使い勝手が良いものとはならない。
【０００９】
本発明の課題は、複数種類の辞書データベースを備え、複数種類の辞書データベースを横断的に検索する場合に、検索結果を見易く表示し、見出し語の選択を容易に行うことが可能な電子辞書すなわち辞書機能を備えた電子装置および電子辞書プログラムを提供することである。
【課題を解決するための手段】
【００１０】
以上の課題を解決するために、請求項１に記載の発明は、辞書機能を備えた電子装置において、
複数の見出し語について見出し語と当該見出し語の説明情報とをそれぞれ対応付けた辞書データが複数種類記憶された複数辞書記憶手段と、
入力文字を入力する入力手段と、
前記複数辞書記憶手段に記憶された複数種類の辞書データ中から前記入力手段により入力された入力文字に対応する見出し語を前方一致検索により検索して抽出する見出し語検索手段と、
前記見出し語検索手段により前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート手段と、
前記同一見出し語と、前記見出し語検索手段により抽出された見出し語のうち同一の見出し語が抽出されない単独の見出し語とを一覧表示する表示手段と、
前記表示手段に表示された任意の同一見出し語が指定された場合に、指定された当該同一見出し語に含まれる複数の前記見出し語を前記ソートルールに従って展開表示する見出し語表示手段と、
指定された前記見出し語に対応付けられた前記説明情報を表示する説明情報表示手段と、を備えることを特徴とする。
【００１１】
請求項２に記載の発明は、請求項１に記載の辞書機能を備えた電子装置において、前記表示手段は、前記同一見出し語と、前記見出し語検索手段により抽出された見出し語のうち同一の見出し語が抽出されない単独の見出し語とを五十音順又はアルファベット順に一覧表示することを特徴とする。
【００１２】
請求項３に記載の発明は、辞書機能を備えた電子装置において、
複数の見出し語について見出し語と当該見出し語の説明情報とをそれぞれ対応付けた辞書データが複数種類記憶された複数辞書記憶手段と、
前記複数辞書記憶手段に記憶された前記見出し語のうち、見出し語の前方に共通部を有する複数の見出し語を当該共通部に対応付けて記憶する共通部記憶手段と、
入力文字を入力する入力手段と、
前記複数辞書記憶手段に記憶された複数種類の辞書データ中から前記入力手段により入力された入力文字に対応する見出し語を前方一致検索により検索して抽出する見出し語検索手段と、
前記見出し語検索手段により前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート手段と、
前記同一見出し語および他の同一の見出し語が抽出されない単独の見出し語が前記共通部記憶手段に記憶された前記共通部を有する場合に、共通部ごとに当該共通部をフォルダ名とするフォルダをそれぞれ作成し、当該共通部を有する同一見出し語および単独の見出し語を、前記共通部をフォルダ名とするフォルダに格納するフォルダ格納手段と、
前記フォルダと、前記フォルダに格納されていない前記同一見出し語と、前記フォルダに格納されていない前記単独の見出し語とを一覧表示する表示手段と、
前記表示手段に表示された任意の前記同一見出し語が指定された場合には、指定された当該同一見出し語に含まれる複数の前記見出し語を前記ソートルールに従って展開表示し、前記表示手段に表示された任意のフォルダが指定された場合には、指定された当該フォルダに格納された前記共通部を有する同一見出し語および単独の見出し語を展開表示する見出し語表示手段と、
指定された前記見出し語に対応付けられた前記説明情報を前記表示手段に表示させる説明情報表示手段と、を備えることを特徴とする。
【００１３】
請求項４に記載の発明は、請求項３に記載の辞書機能を備えた電子装置において、
前記表示手段は、前記フォルダと、前記フォルダに格納されていない前記同一見出し語と、前記フォルダに格納されていない前記単独の見出し語とを五十音順又はアルファベット順に一覧表示し、
前記見出し語表示手段は、前記表示手段に表示された任意のフォルダが指定された場合には、指定された当該フォルダに格納された前記共通部を有する同一見出し語及び単独の見出し語を五十音順又はアルファベット順に展開表示することを特徴とする。
【００１４】
請求項５に記載の発明は、請求項１から請求項４の何れか一項に記載の辞書機能を備えた電子装置において、
前記複数辞書記憶手段に記憶された前記複数種類の辞書データには、それぞれ専門度を表す指標が対応付けられて記憶されており、
前記ソートルールは、前記同一見出し語に含まれる複数の同一の見出し語を、当該見出し語を含む辞書データに対応付けられた前記専門度を表す指標に応じてソートするというルールであることを特徴とする。
【００１５】
請求項６に記載の発明は、請求項１から請求項４の何れか一項に記載の辞書機能を備えた電子装置において、
前記複数辞書記憶手段に記憶された前記複数種類の辞書データの使用頻度をそれぞれカウントし、カウントされた辞書データごとの使用頻度情報を当該辞書データに対応付けて記憶する使用頻度計数手段を備え、
前記ソートルールは、前記同一見出し語に含まれる複数の同一の見出し語を、当該見出し語を含む辞書データに対応付けられた前記使用頻度の高い順にソートするというルールであることを特徴とする。
【００１６】
請求項７に記載の発明は、電子辞書プログラムにおいて、
複数の見出し語について見出し語と当該見出し語の説明情報とをそれぞれ対応付けた辞書データが複数種類記憶された複数辞書記憶手段を備えるコンピュータに、
入力文字を入力する入力機能と、
前記複数辞書記憶手段に記憶された複数種類の辞書データ中から前記入力機能を介して入力された入力文字に対応する見出し語を前方一致検索により検索して抽出する見出し語検索機能と、
前記見出し語検索機能を介して前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート機能と、
前記同一見出し語と、前記見出し語検索手段により抽出された見出し語のうち同一の見出し語が抽出されない単独の見出し語とを表示手段に一覧表示する表示機能と、
前記表示手段に表示された任意の同一見出し語が指定された場合に、指定された当該同一見出し語に含まれる複数の前記見出し語を前記ソートルールに従って表示手段に展開表示させる見出し語表示機能と、
指定された前記見出し語に対応付けられた前記説明情報を表示手段に表示させる説明情報表示機能と、を実現させることを特徴とする。
【００１７】
請求項８に記載の発明は、電子辞書プログラムにおいて、
複数の見出し語について見出し語と当該見出し語の説明情報とをそれぞれ対応付けた辞書データが複数種類記憶された複数辞書記憶手段と、前記複数辞書記憶手段に記憶された前記見出し語のうち、見出し語の前方に共通部を有する複数の見出し語を当該共通部に対応付けて記憶する共通部記憶手段とを備えるコンピュータに、
入力文字を入力する入力機能と、
前記複数辞書記憶手段に記憶された複数種類の辞書データ中から前記入力機能を介して入力された入力文字に対応する見出し語を前方一致検索により検索して抽出する見出し語検索機能と、
前記見出し語検索機能を介して前記複数種類の辞書データから同一の見出し語が複数抽出された場合には、当該複数の同一の見出し語を同一見出し語としてまとめ、当該同一見出し語に含まれる前記複数の同一の見出し語を所定のソートルールに従ってソートするソート機能と、
前記同一見出し語および他の同一の見出し語が抽出されない単独の見出し語が前記共通部記憶手段に記憶された前記共通部を有する場合に、共通部ごとに当該共通部をフォルダ名とするフォルダをそれぞれ作成し、当該共通部を有する同一見出し語および単独の見出し語を、前記共通部をフォルダ名とするフォルダに格納するフォルダ格納機能と、
前記フォルダと、前記フォルダに格納されていない前記同一見出し語と、前記フォルダに格納されていない前記単独の見出し語とを表示手段に一覧表示する表示機能と、
前記表示手段に表示された任意の同一見出し語が指定された場合には、指定された当該同一見出し語に含まれる複数の前記見出し語を前記ソートルールに従って表示手段に展開表示させ、前記表示手段に表示された任意のフォルダが指定された場合には、指定された当該フォルダに格納された前記共通部を有する同一見出し語および単独の見出し語を展開表示させる見出し語表示機能と、
指定された前記見出し語に対応付けられた前記説明情報を表示手段に表示させる説明情報表示機能と、を実現させることを特徴とする。
【発明の効果】
【００１８】
本発明によれば、辞書データベースに格納された複数種類の辞書データに同一の見出し語が複数収録されている場合に、その複数の同一の見出し語を同一見出し語として１つの見出し語にまとめ、それを一覧表示し、同一見出し語が指定された場合にだけその同一見出し語に含まれる複数の見出し語を展開表示させることで、複数種類の辞書データベースを横断的に検索する場合にも、検索結果を見易く表示し、見出し語の選択を容易に行うことが可能となる。
【発明を実施するための最良の形態】
【００１９】
以下、本発明に係る辞書機能を備えた電子装置および電子辞書プログラムの実施の形態について、図面を参照しながら説明する。
【００２０】
［第１の実施の形態］
第１の実施形態では、辞書機能を備えた電子装置すなわち電子辞書が有する各種辞書機能の専門度に着目した電子辞書について説明する。
【００２１】
図１に、第１の実施形態に係る電子辞書の外観図を示す。本実施形態に係る電子辞書１は、図１（Ａ）に示すように、主に、キーボード２と、表示手段であるディスプレイ３とを備えている。
【００２２】
キーボード２には、各種キー群２１が設けられている。各キーには、それぞれ固有の機能が割り当てられており、ユーザによってこれらのキーが押下されて、電子辞書１が操作されるようになっている。キーボード２には、図１（Ｂ）に示すように、各種キー群２１として、入力文字を入力する入力手段である文字キー２２や、操作の確定等の指示入力用の決定キー２３、カーソル位置の移動指示や指定する見出し語を選択するための上、下、右、左の各カーソルキー２４ａ〜２４ｄからなるカーソルキー２４、電源を投入／切断するための電源キー２５等が設けられている。
【００２３】
なお、辞書キー２６は、電子辞書１においてそれぞれのキーに設定された単独の辞書機能を作動させる場合に押下されるキーであるが、本実施形態では、電源投入時に、自動的に電子辞書１に内蔵されている全ての辞書データベースを横断的に検索するマルチ辞書検索機能が作動するようになっており、辞書キー２６は本実施形態には関係がない。また、入力手段をタッチパネル等で構成することも可能である。
【００２４】
ディスプレイ３には、各種キー群２の押下に応じた入力文字や、検索により抽出された見出し語や同一見出し語のほか、ユーザにより指定された見出し語に対応付けられた説明情報等が表示されるようになっている。なお、本実施形態では、ディスプレイ３は、ドットマトリクス液晶で構成されているものとして説明するが、例えば、ＴＦＴ（Thin Film Transistor）液晶であったり、ＰＤＰ（Plasma Display Panel）であったり、他の表示装置とすることも可能である。
【００２５】
図２は、電子辞書１の機能構成を示すブロック図である。電子辞書１は、図２に示すように、キーボード２やディスプレイ３のほか、辞書データベース４、ＲＯＭ（Read Only Memory）５、ＲＡＭ（Random Access Memory）６等がＣＰＵ（Central Processing Unit）７に接続されて構成されている。
【００２６】
複数辞書記憶手段である辞書データベース４は、国語辞典等の各種辞書機能に対応して、各種辞書機能ごとに辞書データ４１を備えており、電子辞書１が内蔵する複数種類の全ての辞書機能についての辞書データ４１を記憶している。なお、本実施形態では、国語辞典、和英辞典、百科事典、科学事典および医学事典の５種類の辞書機能を有している電子辞書１について説明するが、これに限定されない。
【００２７】
辞書データ４１は、図３（Ａ）〜図３（Ｃ）にそれぞれ示す国語辞典、百科事典、医学事典の辞書データ４１ａ〜４１ｃのように、各種辞書機能に対応して、それぞれ複数の見出し語が収録され、各見出し語は当該見出し語の説明情報と対応付けられて構成されている。なお、本実施形態では、辞書データ４１は、見出し語と文字による説明情報とが対応付けられている場合について説明するが、説明情報としては、文字による情報以外にも、静止画像データや動画データ、音声データ等を用いるように構成することも可能であり、また、それらを組み合わせることも可能である。
【００２８】
また、本実施形態では、図２に示すように、辞書データベース４は、辞書データごとの専門度テーブル４２を備えている。専門度テーブル４２は、図４に示すように、辞書データベース４に記憶されている複数種類の辞書データにそれぞれ対応付けられた専門度を表す指標のテーブルである。
【００２９】
本実施形態の専門度テーブル４２では、辞書データごとの専門度を表す指標として、辞書データごとに数値が予め対応付けられており、医学に関連する辞書データには大きな数値が割り当てられ、より一般的な辞書データには小さな数値が割り当てられている。
【００３０】
なお、辞書データベース４には、この他にも、ローマ字入力とひらがなやカタカナを対応付けるテーブルなど必要に応じて種々のテーブルやデータが備えられる。
【００３１】
ＲＯＭ５には、各種初期設定やハードウェアの検査、あるいは必要なプログラムのロード等を行うための初期プログラム等が格納されている。ＣＰＵ７は、電子辞書１の電源投入時においてこの初期プログラムを実行することにより、電子辞書１の動作環境を設定するようになっている。
【００３２】
また、ＲＯＭ５には、前記各プログラムのほか、ＣＰＵ７に、キーボード２から入力文字が入力されると辞書データベース４に記憶された複数種類の辞書データ４１中から入力文字に対応する見出し語を前方一致検索により検索して抽出させるための見出し語検索プログラムが格納されている。
【００３３】
さらに、ＲＯＭ５には、ソートプログラムが格納されている。ソートプログラムは、後述するように、ＣＰＵ７に、複数種類の辞書データから同一の見出し語が複数抽出された場合に当該複数の同一の見出し語を同一見出し語としてまとめ、当該同一見出し語に含まれる複数の同一の見出し語を所定の第一ソートルールに従ってソートさせるためのプログラムであり、また、ＣＰＵ７に、同一見出し語と単独の見出し語とを所定の第二ソートルールに従ってソートするためのプログラムである。
【００３４】
なお、複数の同一の見出し語とは、図３（Ａ）〜（Ｃ）に示した国語辞典、百科事典、医学事典の辞書データ４１ａ〜４１ｃに収録されていて互いに完全一致する各見出し語「気管支」のような見出し語のことをいい、「気管支」と「気管支炎」や、「気管支」と「機関士」は、同一の見出し語ではない。また、単独の見出し語とは、１つの辞書データにのみ収録されていて他の辞書データからは同一の見出し語が抽出されない見出し語をいう。
【００３５】
本実施形態では、複数の同一の見出し語をソートする第一ソートルールとして、ＣＰＵ７に、第一ソート手段として、前記専門度テーブル４２に従ってその見出し語を含む辞書データに対応付けられた専門度を表す指標に応じてソートさせるようになっており、具体的には、ＣＰＵ７はソートプログラムに従って専門度を表す数値が大きいものから順にソートするようになっている。
【００３６】
また、同一見出し語と単独の見出し語とをソートする第二ソートルールとしては、ＣＰＵ７に、第二ソート手段として、それらを五十音順またはアルファベット順にソートさせるようになっている。
【００３７】
なお、図示を省略するが、ＲＯＭ５には、この他にも、ソートプログラムに従ってソートされた見出し語や同一見出し語をディスプレイ３の画面上に一覧表示させる見出し語表示手段としてＣＰＵ７を機能させるための一覧表示プログラムや、ユーザに指定された見出し語に対応付けられた説明情報をディスプレイ３の画面上に表示させる説明情報表示手段としてＣＰＵ７を機能させるための説明情報表示プログラム等が記憶されている。
【００３８】
ＲＡＭ６は、ＣＰＵ７が実行する各種プログラムや、これらのプログラムの実行に係るデータ等を一時的に保持するメモリ領域を備えている。特に、本実施形態では、ＲＡＭ６は、見出し語検索手段としてのＣＰＵ７が前記見出し語検索プログラムに従って検索し抽出した見出し語や同一見出し語を一時的に保存するための検索リスト一時保存領域を備えている。
【００３９】
ＣＰＵ７は、キーボード２から入力される指示に応じて所定のプログラムに基づいた処理を実行し、各機能部への指示やデータの転送を行うようになっている。具体的には、ＣＰＵ７は、キーボード２から入力される操作信号に応じてＲＯＭ５に格納されたプログラムを読み出し、当該プログラムに従って処理を実行する。そして、処理結果を表示するための表示制御信号を適宜ディスプレイ３に出力して、対応した表示情報を表示させるようになっている。
【００４０】
以下、本実施形態に係る電子辞書１のマルチ辞書検索における動作および電子辞書プログラムについて、図５〜図７に示すフローチャートと、図８〜図１６に示す表示画面とを用いて説明する。なお、以下では、入力文字「きかんし」等を入力し、「気管支」の見出し語を検索する場合の操作を例にとって説明する。
【００４１】
図５は、電子辞書１のマルチ辞書検索の動作を示す基本フローチャートである。マルチ辞書検索では、まず、検索処理が行われる（ステップＳ１）。検索処理は、図６に示すフローチャートに従って行われる。
【００４２】
検索処理では、ＣＰＵ７は、まず、ディスプレイ３の画面上にユーザに入力文字を入力させるための図８に示すような入力画面を表示させる。そして、入力画面の見出し語検索の欄に入力文字が入力されるまで待機する（ステップＳ２０；ＮＯ）。
【００４３】
キーボード２の文字キー２２を介して入力文字が入力されると（ステップＳ２０；ＹＥＳ）、ＣＰＵ７は、入力された入力文字をＲＡＭ６のメモリ領域に記憶させ、入力画面に表示する（ステップＳ２１）。続いて押下されたキーが決定キー２３でなければ（ステップＳ２２；ＮＯ）、ＣＰＵ７は、入力文字が入力されたか否かを判断して（ステップＳ２０）、上記の動作を繰り返す。
【００４４】
また、図９に示すように入力画面で「きかんし」と入力され、決定キー２３が押下されると（ステップＳ２２；ＹＥＳ）、ＣＰＵ７は、前述した見出し語検索プログラムに従って、辞書データベース４に記憶された複数種類の辞書データ４１の全ての見出し語の中から入力文字に対応する見出し語を前方一致検索により検索する（ステップＳ２３）。
【００４５】
続いて、ＣＰＵ７は、入力文字に該当する見出し語が検索されたか否かを判断し（ステップＳ２４）、該当する見出し語がなければ（ステップＳ２４；ＮＯ）、ディスプレイ３の画面上に該当する見出し語がない旨を表示する（ステップＳ２５）。一方、該当する見出し語が検索されると（ステップＳ２４；ＹＥＳ）、ＣＰＵ７は、該当するとして抽出された全ての見出し語にその見出し語が収録されている辞書データの識別子を対応付けてＲＡＭ６の検索リスト一時保存領域に一時保存して（ステップＳ２６）、検索処理（図５のステップＳ１）を終了する。
【００４６】
上記の検索処理で、「気管支」や「機関士」、「機関紙」、「気管支炎」、「帰還式衛星」等の見出し語が検索結果として抽出される。その際、国語辞典、百科事典、医学事典の辞書データ４１ａ〜４１ｃ等から抽出された各見出し語「気管支」はそれぞれ別の見出し語とされ、国語辞典の辞書データ４１ａに収録されていた見出し語「気管支」には識別子「国語辞典」が対応付けられ、百科事典の辞書データ４１ｂに収録されていた見出し語「気管支」には識別子「百科事典」が対応付けられる等してそれぞれ一時保存される。
【００４７】
ＣＰＵ７は、続いて、ソート処理を行う（ステップＳ２）。ソート処理は、図７に示すフローチャートに従って行われる。
【００４８】
ソート処理では、ＣＰＵ７は、前述したソートプログラムに従って、まず、検索により複数種類の辞書データから同一の見出し語が複数抽出されたか否かを判断し（ステップＳ３０）、複数抽出されていれば（ステップＳ３０；ＹＥＳ）、ＲＡＭ６の検索リスト一時保存領域中で、当該複数の同一の見出し語を１つの同一見出し語としてまとめる（ステップＳ３１）。上記の国語辞典、百科事典、医学事典の辞書データ４１ａ〜４１ｃ等から抽出された同一の各見出し語「気管支」は、この段階で、同一見出し語「気管支」としてまとめられる。
【００４９】
続いて、ＣＰＵ７は、その同一見出し語に含まれる複数の同一の見出し語を前述した第一ソートルールに従ってソートする（ステップＳ３２）。本実施形態では、前述したように、ＣＰＵ７は、専門度テーブル４２に基づいて、各見出し語が含まれる辞書データにそれぞれ対応付けられた専門度を表す指標である数値が大きいものから順に複数の同一の見出し語をソートする。
【００５０】
そのため、ＣＰＵ７は、同一見出し語「気管支」では、それに含まれる複数の同一の各見出し語「気管支」を、医学事典の「気管支」、百科事典の「気管支」、和英辞典の「気管支」、国語辞典の「気管支」の順にソートし、各見出し語に順位を対応付ける。なお、本実施形態では、科学事典の辞書データには見出し語「気管支」が収録されていないものとする。
【００５１】
続いて、ＣＰＵ７は、前述した検索処理（図６のステップＳ２６）で各見出し語に対応付けられた辞書データの識別子とは別に、同一見出し語に対して、当該同一見出し語に含まれる複数の同一の見出し語のうち最高順位の見出し語の辞書データの識別子と記号「＋」とをその同一見出し語に対応付ける（図７のステップＳ３３）。
【００５２】
上記の同一見出し語「気管支」では最高順位である見出し語「気管支」の辞書データは医学事典であるから、同一見出し語「気管支」に辞書データの識別子「医学事典」と記号「＋」とが対応付けられる。なお、この記号「＋」は、後述するように、ディスプレイ３の画面上への表示の際に、表示されているのは同一見出し語であり、医学事典以外の辞書にも同一の見出し語が収録されていることを示す記号である。
【００５３】
続いて、ＣＰＵ７は、同一見出し語と、同一の見出し語が他に抽出されなかった単独の見出し語（ステップＳ３０；ＮＯ）とを、前述した第二ソートルールに従ってソートする（ステップＳ３４）。本実施形態では、前述したように、ＣＰＵ７は、同一見出し語と単独の見出し語とを五十音順またはアルファベット順にソートする。この場合、入力されている入力文字がひらがな、すなわち日本語であるから五十音順でソートし、各同一見出し語および単独の見出し語にソート番号を対応付けて、ソート処理（図５のステップＳ２）を終了する。
【００５４】
ＣＰＵ７は、ソート処理を終了すると、ディスプレイ３の画面上に表示されている入力画面の一覧表示画面に、ソートした同一見出し語と単独の見出し語とをソート番号の順番に従って一覧表示させ、最上部の同一見出し語または単独の見出し語にカーソルを合わせる（図５のステップＳ３）。その際、図１０に示すように、一覧表示画面には、同一見出し語または単独の見出し語と、その識別子と、同一見出し語の場合は記号「＋」とがそれぞれ一行ずつ表示される。
【００５５】
図１０の場合、「機関士」に記号「＋」が表示されていることから、ユーザには「機関士」が同一見出し語であることが分かり、最高順位の辞書が百科事典であるが、百科事典以外の辞書にも同一の見出し語が収録されていることが分かる。また、見出し語「季刊誌」には記号「＋」が表示されていないから、ユーザには見出し語「季刊誌」は和英辞典の機能でしか調べられないことが分かる。
【００５６】
また、同一の見出し語が複数種類の辞書データに複数収録されている場合にはそれらが同一見出し語にまとめられ、一覧表示画面には同一見出し語が表示されるから、図１０に示すように、一覧表示画面に表示される同一見出し語や単独の見出し語は、互いにそれぞれ異なった見出し語となり、同じ見出し語が重複して表示されることがない。
【００５７】
一方、図１０に示すように、本実施形態では、一覧表示画面の右方のプレビュー画面には、カーソルが合わされた見出し語に対応付けられた説明情報がプレビュー表示されるようになっている。すなわち、カーソルが合わされた見出し語が単独の見出し語である場合にはそれに対応付けられた説明情報がプレビュー表示され、同一見出し語である場合には、それに含まれる同一の見出し語のうち最高順位の見出し語に対応付けられた説明情報がプレビュー表示される。なお、このプレビュー表示は、図５のフローチャートには記載されないが、カーソルが合わされた同一見出し語や単独の見出し語に対して随時行われる。
【００５８】
続いて、ＣＰＵ７は、ユーザからのキー操作を待ち、押下されたキーが決定キー２３であれば（ステップＳ４；ＹＥＳ）、カーソルが合わされ指定された見出し語が単独の見出し語である場合にはそれに対応付けられた説明情報が全画面表示され、指定された見出し語が同一見出し語である場合には、それに含まれる同一の見出し語のうち最高順位の見出し語に対応付けられた説明情報が全画面表示される。
【００５９】
具体的には、図１０のように、カーソルが同一見出し語「気管支」に合っている状態で決定キー２３が押下されると、図１１に示すように、同一見出し語「気管支」に含まれる同一の見出し語「気管支」のうち最高順位である医学事典の辞書データ４１ｃの見出し語「気管支」に対応付けられた説明情報が全画面表示される。
【００６０】
なお、本実施形態では、図５のフローチャートでは記載が省略されているが、図１１の全画面表示の状態で何らかのキーが押下されると、ディスプレイ３の表示が図１０の入力画面表示に戻り、上カーソルキー２４ａや下カーソルキー２４ｂを押下して他の見出し語にカーソル位置を移動させることができ、あるいは入力文字を新たに入力することもできるようになっている。
【００６１】
一方、ＣＰＵ７は、図１０の入力画面表示の状態で、押下されたキーが決定キー２３ではなく（図５のステップＳ４；ＮＯ）、上カーソルキー２４ａや下カーソルキー２４ｂであれば（ステップＳ６；ＹＥＳ）、指定された方向に一覧表示上でカーソル位置を移動させ（ステップＳ７）、ステップＳ４のキー操作の入力待ちの状態に戻る。
【００６２】
具体的には、図１０の入力画面表示の状態で、下カーソルキー２４ｂが３回押下されると、図１２に示すようにカーソルが３つ下の単独の見出し語「季刊誌」に合わされた状態となり、この状態で決定キー２３が押下されれば、図１３に示すように、見出し語「季刊誌」が収録されている和英辞典の辞書データの見出し語「季刊誌」に対応付けられた説明情報が全画面表示される。
【００６３】
また、ＣＰＵ７は、押下されたキーが決定キー２３でも上下カーソルキー２４ａ、２４ｂでもなく（ステップＳ４、Ｓ６；ＮＯ）、右カーソルキー２４ｃであれば（ステップＳ８；ＹＥＳ）、カーソルが合っている見出し語が同一見出し語であるか否かを判断する（ステップＳ９）。
【００６４】
なお、右カーソルキー２４ｃが押下された際にカーソルが合っている見出し語が同一見出し語でなく単独の見出し語である場合（ステップＳ９；ＮＯ）、あるいは押下されたキーが決定キー２３、上下カーソルキー２４ａ、２４ｂ、右カーソルキー２４ｃの何れでもない場合（ステップＳ８；ＮＯ）には、ＣＰＵ７は、当該キー操作に対応するその他の処理を行うようになっている（ステップＳ１０）。
【００６５】
その際、押下されたキーがＣＰＵ７に特別の動作を要求するものでない場合には、キー操作を無視し、何らキーが操作されなかったものとしてステップＳ４の処理等に戻るように構成することも可能である。この場合、カーソルが単独の見出し語に合っている状態で右カーソルキー２４ｃが押下されても何ら表示は変化せず、キー操作の入力待ちの状態になる。
【００６６】
ＣＰＵ７は、右カーソルキー２４ｃが押下された際にカーソルが合っている見出し語が同一見出し語であれば（ステップＳ９；ＹＥＳ）、同一見出し語に含まれる同一の見出し語のうち、最高順位ではないため一覧表示中に表示されていない見出し語の識別子を、前述した第一ソートルールすなわち本実施形態の場合には前記専門度テーブル４２に基づく専門度の数値が大きい見出し語から順に展開表示させる（ステップＳ１１）。
【００６７】
具体的には、前述したように同一見出し語「気管支」に含まれる同一の複数の見出し語「気管支」が医学事典、百科事典、和英辞典、国語辞典の順にソートされ順位付けられている場合、図１０の状態で右カーソルキー２４ｃが押下されると、図１４に示すように、最高順位であり既に一覧表示中に表示されている医学事典以外の見出し語の識別子が、順位に従って「百科事典」、「和英辞典」、「国語辞典」の順に左側から展開表示される。
【００６８】
そして、カーソル位置が、展開表示された各識別子の中で最高順位の識別子、すなわち最も左側に表示されている識別子に合わされる。
【００６９】
続いて、ＣＰＵ７は、この状態でユーザからのキー操作を待ち、押下されたキーが決定キー２３であれば（図５のステップＳ１２；ＹＥＳ）、図示を省略するが、指定された識別子、すなわち図１４の場合は百科事典の辞書データ４１ｂに収録された見出し語「気管支」に対応付けられた説明情報を全画面表示する（図５のステップＳ５）。
【００７０】
また、押下されたキーが決定キー２３ではなく（ステップＳ１２；ＮＯ）、右カーソルキー２４ｃや左カーソルキー２４ｄであれば（ステップＳ１３；ＹＥＳ）、ＣＰＵ７は、指定された方向に展開表示上でカーソル位置を移動させ（ステップＳ１４）、ステップＳ１２のキー操作の入力待ちの状態に戻る。
【００７１】
具体的には、図１４の状態で右カーソルキー２４ｃを２回続けて押下すると、図１５に示すようにカーソル位置が展開表示された識別子上で右側に２つずれて国語辞典の識別子に合う。そして、この状態で決定キー２３を押下すると、カーソルが合わされ指定された国語辞典の辞書データ４１ａ中の見出し語「気管支」に対応付けられた説明情報が図１６に示すように全画面表示される。
【００７２】
なお、図１０の状態で押下されたキーが決定キー２３ではなく（図５のステップＳ１２；ＮＯ）、右カーソルキー２４ｃでも左カーソルキー２４ｄでもなければ（ステップＳ１３；ＮＯ）、ＣＰＵ７は当該キー操作に対応するその他の処理を行う（ステップＳ１５）。また、この場合も、押下されたキーがＣＰＵ７に特別の動作を要求するものでない場合には、キー操作を無視し、何らキーが操作されなかったものとしてステップＳ１２のキー操作待ちの状態に戻ったり、展開表示を閉じてステップＳ４のキー操作待ちの状態に戻ったりするように構成することも可能である。
【００７３】
以上のように、本実施形態に係る電子辞書１すなわち辞書機能を備えた電子装置１および電子辞書プログラムによれば、複数種類の辞書データに同一の見出し語が複数収録されている場合には、その複数の同一の見出し語が同一見出し語としてまとめられ、五十音順等の第二ソートルールに従って同一見出し語や単独の見出し語がディスプレイの画面上に一覧表示される。
【００７４】
そのため、ディスプレイの一覧表示画面に一覧表示される検索結果である同一見出し語や単独の見出し語は、図１０に示したように、同一のものが重複することなく全てが互いに異なったものとなるため、図２８に示した従来例のように、同じ見出し語が多数重複して表示されて表示が冗長になることが防止され、検索結果をユーザに見易く表示することが可能となる。
【００７５】
また、複数種類の辞書データに同一の見出し語が複数収録されている場合にそれらを同一見出し語として１つにまとめ、一覧表示中には同一見出し語のみを表示させ、同一見出し語が指定された場合にだけその同一見出し語に含まれる複数の見出し語を展開表示させることで、辞書データベースに記憶される辞書データの種類が増加したり一種類あたりの辞書の辞書データ数が増加して電子辞書に備えられる辞書データの数が増大しても、一覧表示が長大になることはなく、ユーザにとって表示を見易くすることが可能となる。
【００７６】
さらに、同一見出し語に含まれる複数の見出し語が展開表示される際、第一ソートルールに従って決められた順位に基づいて展開表示されるため、ユーザはその中から目的の辞書を容易に見出すことができ、見出し語を容易に選択してその説明情報を的確に表示させることが可能となる。
【００７７】
また、通常、辞書の見出し語の並び順は五十音順またはアルファベット順であるから、本実施形態のように、一覧表示用に同一見出し語や単独の見出し語をソートする際の基準となる第二ソートルールを、同一見出し語と前記単独の見出し語とを五十音順またはアルファベット順にソートするというルールとすることで、一覧表示された同一見出し語や単独の見出し語の中から、ユーザが非常に容易に目的の見出し語を発見することが可能となる。
【００７８】
また、同一見出し語に含まれる複数の同一の見出し語を予めソートし、その際のソートルールである第一ソートルールを、例えば医学に関連性が高いものから順に順位を割り当てるなど専門度に応じてソートするというルールとすることで、電子辞書に種々の専門性を持たせることが可能となる。また、それとともに、専門度が高い辞書機能に属する見出し語が常に優先的に表示されるようになるため、電子辞書の専門性を理解して使用するユーザに対して電子辞書を非常に使い易いものとすることができる。
【００７９】
［第２の実施の形態］
第１の実施形態に係る辞書機能を備えた電子装置１および電子辞書プログラムでは、電子辞書が有する各種辞書機能の専門度に着目したが、第２の実施形態に係る辞書機能を備えた電子装置および電子辞書プログラムでは、各種辞書機能に対するユーザの使用頻度に着目して、使用頻度が高い辞書機能を優先的に表示する辞書機能を備えた電子装置すなわち電子辞書について説明する。
【００８０】
本実施形態に係る電子辞書のうち、第１の実施形態に係る電子辞書１と同じ部材や処理については同一の符号を付して説明する。本実施形態では、電子辞書の外観構成は、図１に示した第１の実施形態の場合と同様である。
【００８１】
本実施形態に係る電子辞書１００では、ＣＰＵ７は、使用頻度計数手段として、複数種類の辞書データの使用頻度をそれぞれカウントするように構成されており、また、図１７に示すように、ＲＡＭ６には、カウントされた辞書データごとの使用頻度情報を辞書データに対応付けて記憶するための辞書の使用頻度情報用のメモリ領域が設けられている。
【００８２】
すなわち、ＣＰＵ７は、図５に示した基本フローチャートにおいて、指定された見出し語に対応付けられた説明情報を全画面表示するごとに（ステップＳ５）、指定された見出し語が収録されている辞書データの使用頻度情報であるカウント数を１ずつ増加させ、辞書データに対応付けてＲＡＭ６の辞書の使用頻度情報用のメモリ領域に記憶させる。
【００８３】
また、ソート処理（ステップＳ２）における第一ソートルール（図７のステップＳ３２）を、同一見出し語に含まれる複数の同一の見出し語を当該見出し語が収録された辞書データに対応付けられた使用頻度の高い順に、すなわち使用頻度情報が大きい順にソートするというルールとする。
【００８４】
そして、同一見出し語に対して、当該同一見出し語に含まれる複数の同一の見出し語のうち最高順位の見出し語、すなわち使用頻度が最も高い辞書データの識別子と記号「＋」とがその同一見出し語に対応付けられる（図７のステップＳ３３）。
【００８５】
そのため、図５の基本フローチャートにおいて、同一見出し語と単独の見出し語とがディスプレイ３の一覧表示画面には、使用頻度が最も高い辞書データの識別子と記号「＋」とが対応付けられた同一見出し語が表示される（ステップＳ３）。
【００８６】
また、非表示の同一の見出し語の識別子を展開表示する際には（ステップＳ１１）、使用頻度が高いものから順に表示されるようになる。
【００８７】
以上のように、本実施形態に係る辞書機能を備えた電子装置１００および電子辞書プログラムによれば、第１の実施形態に係る電子辞書１と同様の効果が得られるとともに、電子辞書が有する各種辞書機能のうち使用頻度が高い辞書機能に属する見出し語が優先的に表示されるようになる。そのため、ユーザが同一見出し語を展開表示することなく同一見出し語が表示された状態のまま決定キーを押下して目的の説明情報を全画面表示できる可能性が高くなり、ユーザにとって電子辞書が非常に使い易いものとなる。
【００８８】
［第３の実施の形態］
第３の実施形態に係る辞書機能を備えた電子装置すなわち電子辞書および電子辞書プログラムでは、入力された入力文字に関連する見出し語をより簡潔に表示することができる電子辞書および電子辞書プログラムについて説明する。
【００８９】
なお、本実施形態に係る電子辞書等は、第１の実施形態のように電子辞書が有する各種辞書機能の専門度に着目して構成することも、第２の実施形態のように各種辞書機能に対するユーザの使用頻度に着目して構成することも可能である。以下では、第１の実施形態に則して説明する。また、本実施形態においても、第１の実施形態に係る電子辞書１と同じ部材や処理については同一の符号を付して説明する。
【００９０】
本実施形態では、電子辞書の外観構成は、図１に示した第１の実施形態の場合と同様である。
【００９１】
図１８は、本実施形態に係る電子辞書２００の機能構成を示すブロック図である。図１８に示すように、本実施形態に係る電子辞書２００の辞書データベース４には、国語辞典等の各種辞書機能ごとの辞書データ４１や辞書データごとの専門度テーブル４２のほかに、見出し語をその前方の共通部でまとめた見出し語共通部テーブル４３が備えられている。
【００９２】
見出し語共通部テーブル４３は、図１９に示すように、辞書データベース４に記憶されている複数種類の辞書データ４１に収録されている全ての見出し語のうち、見出し語の前方に共通する部分すなわち共通部を有する複数の見出し語が１つにまとめられ、当該共通部に対応付けて記憶されている。
【００９３】
具体的には、見出し語共通部テーブル４３では「きかんし」の読みを有する「気管支」をその前方に共通部として有する「気管支炎」、「気管支拡張症」、「気管支カタル」等の見出し語がまとめられ、共通部「気管支」に対応付けられている。そして、そのような共通部を有する複数の見出し語が同様にまとめられ共通部に対応付けられてテーブルを構成している。なお、「気管支」と「機関紙」とは読みは同じでも異なる共通部である。
【００９４】
以下、本実施形態に係る電子辞書２００のマルチ辞書検索における動作および電子辞書プログラムについて説明する。なお、本実施形態においても、入力文字「きかんし」等を入力し、「気管支」等の見出し語を検索する場合の操作を例にとって説明する。
【００９５】
図２０に、電子辞書２００のマルチ辞書検索の動作の基本フローチャートを示す。なお、第１の実施形態における処理と同じ処理を行うステップには、第１の実施形態の基本フローチャートにおける番号と同じステップ番号を付して説明する。
【００９６】
マルチ辞書検索で、まず検索処理が行われる（ステップＳ１）。検索処理は、図６に示した第１の実施形態のフローチャートと同じ手順（ステップＳ２０〜Ｓ２６）と同じ手順で行われる。しかし、続くソート処理（図２０のステップＳ４０）は、第１の実施形態の場合と多少異なる。ソート処理は、図２１に示すフローチャートに従って行われる。
【００９７】
ソート処理では、ＣＰＵ７が、複数種類の辞書データから同一の見出し語が複数抽出されていれば（ステップＳ３０；ＹＥＳ）、当該複数の同一の見出し語を１つの同一見出し語としてまとめ（ステップＳ３１）、同一見出し語に含まれる複数の同一の見出し語を専門度に着目した第一ソートルールに従ってソートし（ステップＳ３２）、同一見出し語に対して当該同一見出し語に含まれる複数の同一の見出し語のうち最高順位の見出し語の辞書データの識別子と記号「＋」とを対応付ける（ステップＳ３３）までは、第１の実施形態と同様である。
【００９８】
本実施形態では、続いて、ＣＰＵ７は、前述した見出し語共通部テーブル４３を参照して、同一見出し語と、他の同一の見出し語が抽出されない単独の見出し語の中で、テーブル中の同じ共通部を有する同一見出し語および単独の見出し語があるか否かを判断し（ステップＳ５０）、同じ共通部を有するものがなければ（ステップＳ５０；ＮＯ）、第１の実施形態と同様に、同一見出し語と単独の見出し語とを、本実施形態では五十音順でソートする第二ソートルールに従ってソートして（ステップＳ３４）、ソート処理（図２０のステップＳ４０）を終了する。
【００９９】
また、同じ共通部を有する同一見出し語および単独の見出し語があれば（ステップＳ５０；ＹＥＳ）、ＣＰＵ７は、当該共通部をフォルダ名とするフォルダをＲＡＭ６の検索リスト一時保存領域に作成する（ステップＳ５１）。具体的には、「気管支炎」、「気管支拡張症」、「気管支カタル」等の同一見出し語や単独の見出し語が抽出されると、見出し語共通部テーブル４３には共通部として「気管支」が分類されており、それらの見出し語はその共通部に含まれるから、ＲＡＭ６の検索リスト一時保存領域に「気管支〜」をフォルダ名とするフォルダが作成される。
【０１００】
続いて、ＣＰＵ７は、当該共通部を有する同一見出し語および単独の見出し語を第三ソートルールに従ってソートする（ステップＳ５２）。本実施形態では、第三ソートルールは、第二ソートルールと同様に同一見出し語と単独の見出し語とを五十音順またはアルファベット順にソートするルールとされている。従って、この場合、ＣＰＵ７は、当該共通部を有する同一見出し語および単独の見出し語を五十音順にソートし、各同一見出し語および単独の見出し語にソート番号を対応付ける。
【０１０１】
そして、ＣＰＵ７は、ソート番号が付された同一見出し語および単独の見出し語を該当するフォルダに格納する（ステップＳ５３）。
【０１０２】
ＣＰＵ７は、以上の処理を行うと、フォルダと同一見出し語と単独の見出し語とを第二ソートルールに従ってソートして（ステップＳ３４）、ソート処理（図２０のステップＳ４０）を終了する。
【０１０３】
図２０の基本フローチャートに示すように、ソート処理後の処理は、ほぼ第１の実施形態の場合と同様であるが、ステップＳ３の一覧表示により、図２２に示すように、記号「＋」が表示される同一見出し語や表示されない単独の見出し語のほか、フォルダがディスプレイ３の一覧表示画面に表示される。
【０１０４】
なお、図２２に示す表示画面と、図１０に示した同じ条件での第１の実施形態における表示画面とを比較して分かるように、本実施形態では、共通部を有する同一見出し語や単独の見出し語がさらに１つのフォルダにまとめられるため、表示が一層コンパクトになる。
【０１０５】
本実施形態では、図２２の状態で下カーソルキー２４ｂが３回押下されると（図２０のステップＳ６；ＹＥＳ）、カーソル位置が３つ分下方に移動し（ステップＳ７）、図２３に示すように、フォルダにカーソルが合った状態になる。
【０１０６】
そして、この状態で、決定キー２３が押下されると（図２０のステップＳ４；ＹＥＳ）、指定された当該フォルダに格納された共通部を有する同一見出し語および単独の見出し語を前記第三ソートルールに従って展開表示させ、ソート番号が最高順位の同一見出し語または単独の見出し語に合わせるようになっている（ステップＳ４２）。そして、キー操作の入力状態に戻る。
【０１０７】
具体的には、図２３の状態で決定キー２３を押下すると、図２４に示すように、フォルダ「気管支〜」に含まれる同一見出し語や単独の見出し語が一覧表示画面上に展開表示される。
【０１０８】
このフォルダの表示およびフォルダが指定された場合のフォルダの展開表示以外の処理は、第１の実施形態と同様である。
【０１０９】
すなわち、図２４の状態では、見出し語「気管支炎」は記号「＋」が表示されていることから同一見出し語であり、最高順位の医学事典以外の辞書データにも見出し語「気管支炎」が収録されていることが分かる。そして、この状態で決定キー２３が押下されて指定すると（図２０のステップＳ４；ＹＥＳ）、図２５に示すように、同一見出し語「気管支炎」に含まれる同一の見出し語のうち最高順位の見出し語、すなわち医学辞典の辞書データの見出し語「気管支炎」に対応付けられた説明情報が全画面表示される（図２０のステップＳ５）。
【０１１０】
一方、上カーソルキー２４ａや下カーソルキー２４ｂが押下されれば（ステップＳ６；ＹＥＳ）、カーソル位置が上下方向に移動する（ステップＳ７）。具体的には、図２４の状態で、下カーソルキー２４ｂが押下されれば、カーソル位置は同一見出し語「気管支拡張症」の位置に移動する。
【０１１１】
また、図２４の状態で、右カーソルキー２４ｃが押下されると（図２０のステップＳ８；ＹＥＳ）、見出し語「気管支炎」は同一見出し語であるから（ステップＳ９；ＹＥＳ）、同一見出し語「気管支炎」に含まれる非表示の見出し語「気管支炎」の識別子を、前述した第一ソートルールすなわち本実施形態の場合には前記専門度テーブル４２に基づく専門度の数値が大きい見出し語から順に展開表示させる（ステップＳ１１）。
【０１１２】
そして、例えばさらに右カーソルキー２４ｃが２回押下されると（ステップＳ１３；ＹＥＳ）、カーソル位置が右側に２つ移動して（ステップＳ１４）、図２６に示す状態となる。そして、図２６の状態で、決定キー２３が押下されると（図２０のステップＳ１２；ＹＥＳ）、図２７に示すように、指定された識別子「百科事典」の辞書データに収録された見出し語「気管支炎」に対応付けられた説明情報が全画面表示される（図２０のステップＳ５）。
【０１１３】
以上のように、本実施形態に係る電子辞書２００すなわち辞書機能を備えた電子装置２００および電子辞書プログラムによれば、第１の実施形態に係る電子辞書１と同様の効果が得られるとともに、見出し語の前側部分に共通部を有する同一見出し語や単独の見出し語をさらに１つのフォルダにまとめることで、見出し語の一覧表示が一層コンパクトになる。そのため、一覧表示が冗長になることが防止され、検索結果をユーザに見易く表示することが可能となる。
【０１１４】
また、共通部を有する見出し語は、その共通部をフォルダ名に持つフォルダ内を検索すれば必ず見つかるから、ユーザにとって検索が容易になり、見出し語を容易に選択してその説明情報を的確に表示させることが可能となる。
【図面の簡単な説明】
【０１１５】
【図１】電子辞書の外観図であり、（Ａ）は全体の斜視図、（Ｂ）はキーボードの平面図である。
【図２】第１の実施形態における電子辞書の機能構成を示すブロック図である。
【図３】辞書データの例を示す図であり、（Ａ）は国語辞典、（Ｂ）は百科事典、（Ｃ）は医学事典の辞書データを表す。
【図４】専門度テーブルの例を示す図である。
【図５】第１の実施形態における電子辞書のマルチ辞書検索の動作を示す基本フローチャートである。
【図６】検索処理の動作を示すフローチャートである。
【図７】第１の実施形態におけるソート処理の動作を示すフローチャートである。
【図８】第１の実施形態における画面表示の一例を示す図である。
【図９】第１の実施形態における画面表示の一例を示す図である。
【図１０】第１の実施形態における画面表示の一例を示す図である。
【図１１】第１の実施形態における全画面表示の一例を示す図である。
【図１２】第１の実施形態における画面表示の一例を示す図である。
【図１３】第１の実施形態における全画面表示の一例を示す図である。
【図１４】第１の実施形態における画面表示の一例を示す図である。
【図１５】第１の実施形態における画面表示の一例を示す図である。
【図１６】第１の実施形態における全画面表示の一例を示す図である。
【図１７】第２の実施形態における電子辞書の機能構成を示すブロック図である。
【図１８】第３の実施形態における電子辞書の機能構成を示すブロック図である。
【図１９】見出し語共通部テーブルの例を示す図である。
【図２０】第３の実施形態における電子辞書のマルチ辞書検索の動作を示す基本フローチャートである。
【図２１】第３の実施形態におけるソート処理の動作を示すフローチャートである。
【図２２】第３の実施形態における画面表示の一例を示す図である。
【図２３】第３の実施形態における画面表示の一例を示す図である。
【図２４】第３の実施形態における画面表示の一例を示す図である。
【図２５】第３の実施形態における全画面表示の一例を示す図である。
【図２６】第３の実施形態における画面表示の一例を示す図である。
【図２７】第３の実施形態における全画面表示の一例を示す図である。
【図２８】従来の電子辞書における画面表示の一例を示す図である。
【図２９】従来の電子辞書における画面表示の一例を示す図である。
【符号の説明】
【０１１６】
１      電子辞書
３      ディスプレイ
４      辞書データベース
７      ＣＰＵ
２２    文字キー
４１、４１ａ〜４１ｃ    辞書データ
４２    専門度テーブル
【図１】
2008257505.tif 000003
【図２】
2008257505.tif 000004
【図３】
2008257505.tif 000005
【図４】
2008257505.tif 000006
【図５】
2008257505.tif 000007
【図６】
2008257505.tif 000008
【図７】
2008257505.tif 000009
【図８】
2008257505.tif 000010
【図９】
2008257505.tif 000011
【図１０】
2008257505.tif 000012
【図１１】
2008257505.tif 000013
【図１２】
2008257505.tif 000014
【図１３】
2008257505.tif 000015
【図１４】
2008257505.tif 000016
【図１５】
2008257505.tif 000017
【図１６】
2008257505.tif 000018
【図１７】
2008257505.tif 000019
【図１８】
2008257505.tif 000020
【図１９】
2008257505.tif 000021
【図２０】
2008257505.tif 000022
【図２１】
2008257505.tif 000023
【図２２】
2008257505.tif 000024
【図２３】
2008257505.tif 000025
【図２４】
2008257505.tif 000026
【図２５】
2008257505.tif 000027
【図２６】
2008257505.tif 000028
【図２７】
2008257505.tif 000029
【図２８】
2008257505.tif 000030
【図２９】
2008257505.tif 000031